(57)【要約】【課題】外部から大きな衝撃力が加えられた際に、その衝撃エネルギーを確実に吸収することができるウォッシャノズルを提供する。【解決手段】雄ねじ部１１ｆが形成されたノズルハウジング１１と、このノズルハウジング１１をインナパネル２０とアウタパネル２１を介在して固定するナット１８とからなるウォッシャノズル１０において、ノズルハウジング１１の雄ねじ部１１ｆとナット１８の雌ねじ部１８ｅとの間に脱落機構Ｄを設け、ノズルハウジング１１を、ナット１８のノズルハウジング１１の上側を露出させる開口上端部１８ｂと、ノズルハウジングの下端部１１ｄに設けられ、インナパネル２０に形成された係止凸部２０ｂに係止する係止爪１４と、ナット１８の開口上端部１８ｂとノズルハウジング１１の下端部１１ｄとの間に雄ねじ部１１ｆと雌ねじ部１８ｅとの螺合でそれぞれ保持した。【選択図】図２
2008080821.tif 000002
【特許請求の範囲】
【請求項１】
上端部に洗浄液を噴射させるノズル体を保持し、該ノズル体に洗浄液を供給する液体供給流路が内部に形成され、外周面に雄ねじ部が形成された円筒状のノズルハウジングと、このノズルハウジングをインナパネルとアウタパネルの二重構造となっている車体パネルを介在して固定するために該ノズルハウジングの雄ねじ部と螺合する雌ねじ部が内周面に形成されたナットとからなるウォッシャノズルにおいて、
前記ノズルハウジングの雄ねじ部と前記ナットの雌ねじ部との間に脱落機構を設け、前記ノズルハウジングは、前記ナットの前記ノズルハウジングの上側を露出させる開口上端部と、前記ノズルハウジングの下端部に設けられ、前記インナパネルの取付孔に形成された係止凸部に係止する係止爪と、前記ナットの開口上端部と前記ノズルハウジングの下端部との間にそれぞれ形成された前記ノズルハウジングの雄ねじ部と前記ナットの雌ねじ部との螺合とでそれぞれ保持されたことを特徴とするウォッシャノズル。
【請求項２】
請求項１に記載のウォッシャノズルにおいて、
前記ノズルハウジングと前記ナットとを合成樹脂で形成したことを特徴とするウォッシャノズル。
【発明の詳細な説明】
【技術分野】
【０００１】
本発明は、例えば、自動車のウインドシールドガラス等に付着する雨水，泥土，塵埃等の汚れを洗浄液で洗浄する際に用いて好適なウォッシャノズルに関する。
【背景技術】
【０００２】
この種のウォッシャノズルとして、図１１に示すものがある（例えば、特許文献１参照。）。
【０００３】
このウォッシャノズル１は、図１１に示すように、液体噴射口２ａから洗浄液を噴射させるノズルハウジング２を有している。このノズルハウジング２の基端部２ｂを車体パネル８の取付孔９より裏側に突出させており、該基端部２ｂに形成された係止溝２ｃに車体パネル８の裏面８ｂに当接するリテーナ３を係止してある。
【０００４】
そして、ノズルハウジング２の基部の外周面に形成された雄ねじ部２ｄにナット４を螺合することにより、車体パネル８の表面８ａにパッキン５を介してノズルハウジング２を取り付けてある。
【０００５】
【特許文献１】実開昭６３−４８６６号公報
【発明の開示】
【発明が解決しようとする課題】
【０００６】
しかしながら、前記従来のウォッシャノズル１では、走行中にウォッシャノズル１が外れないようにノズルハウジング２とナット４の螺合が強固になっていた。そのために、車体パネル８の外側にノズルハウジング２が突出しているので、ノズルハウジング２の軸方向に外部から大きな衝撃を受けても、ノズルハウジング２がナット４に保持固定されて該ノズルハウジング２に掛かる大きな衝撃力を緩和して吸収することができなかった。
【０００７】
そこで、本発明は、前記した課題を解決すべくなされたものであり、ノズルハウジングの軸方向に外部から大きな衝撃が加えられた際に、ノズルハウジングがナットから外れてその衝撃エネルギーを確実に吸収することができるウォッシャノズルを提供することを目的とする。
【課題を解決するための手段】
【０００８】
請求項１の発明は、上端部に洗浄液を噴射させるノズル体を保持し、該ノズル体に洗浄液を供給する液体供給流路が内部に形成され、外周面に雄ねじ部が形成された円筒状のノズルハウジングと、このノズルハウジングをインナパネルとアウタパネルの二重構造となっている車体パネルを介在して固定するために該ノズルハウジングの雄ねじ部と螺合する雌ねじ部が内周面に形成されたナットとからなるウォッシャノズルにおいて、前記ノズルハウジングの雄ねじ部と前記ナットの雌ねじ部との間に脱落機構を設け、前記ノズルハウジングは、前記ナットの前記ノズルハウジングの上側を露出させる開口上端部と、前記ノズルハウジングの下端部に設けられ、前記インナパネルの取付孔に形成された係止凸部に係止する係止爪と、前記ナットの開口上端部と前記ノズルハウジングの下端部との間にそれぞれ形成された前記ノズルハウジングの雄ねじ部と前記ナットの雌ねじ部との螺合とでそれぞれ保持されたことを特徴とする。
【０００９】
請求項２の発明は、請求項１に記載のウォッシャノズルにおいて、前記ノズルハウジングと前記ナットとを合成樹脂で形成したことを特徴とする。
【発明の効果】
【００１０】
以上説明したように、請求１の発明によれば、ノズルハウジングの雄ねじ部とナットの雌ねじ部との間に脱落機構を設け、ノズルハウジングは、ナットのノズルハウジングの上側を露出させる開口上端部と、ノズルハウジングの下端部に設けられ、インナパネルの取付孔に形成された係止凸部に係止する係止爪と、ナットの開口上端部とノズルハウジングの下端部との間にそれぞれ形成されたノズルハウジングの雄ねじ部とナットの雌ねじ部との螺合とでそれぞれ保持されたことにより、ノズルハウジングの軸方向に外部から大きな衝撃が加わった時に、ノズルハウジングの雄ねじ部とナットの雌ねじ部とのねじ部の軸方向に力が加わり、ナットの雌ねじ部が外側に変形した際に、ノズルハウジングの雄ねじ部とナットの雌ねじ部の噛み合いが容易に外れてノズルハウジングを車体パネルの下方側に変位させることができ、その衝撃エネルギーを確実に吸収することができる。
【００１１】
そして、脱落機構がナットの開口上端部とインナパネルの係止爪との間にあるので、ノズルハウジングに軸方向に外部から大きな衝撃が加わった時に、ノズルハウジングが倒れることなく、脱落機構としてのノズルハウジングの雄ねじ部とナットに雌ねじ部との噛合い部には、真直ぐに荷重が加わることになり、脱落を容易にすることができる。
【００１２】
請求項２の発明によれば、ノズルハウジングとナットとを合成樹脂で形成したことにより、ノズルハウジングに外部から大きな衝撃が加わった時に、ノズルハウジング多少倒れても、ねじ部には真直ぐに荷重が加わるので、ナットの雌ねじ部が外側に変形した際に、ノズルハウジングの雄ねじ部とナットの雌ねじ部の噛み合いがさらに容易に外れてノズルハウジングを車体パネルの下方側に変位させることができ、その衝撃エネルギーを確実に吸収することができる。
【発明を実施するための最良の形態】
【００１３】
以下、本発明の一実施形態を図面に基づいて説明する。
【００１４】
図１は本発明の一実施形態のウォッシャノズルの取付状態を示す正面図、図２は同ウォッシャノズルの取付状態を示す断面図、図３は同ウォッシャノズルのノズルハウジングの正面図、図４は同ノズルハウジングの側面図、図５は同ノズルハウジングの平面図、図６は同ノズルハウジングの雄ねじ部と該雄ねじ部に螺合されるナットの雌ねじ部のねじ山の関係を示す部分拡大説明図、図７（ａ）は同ノズルハウジングの底面図、図７（ｂ）は同ノズルハウジングの下部が係止される車体パネルの取付孔を示す部分平面図、図８は同ノズルハウジングの要部の拡大断面図、図９は同ナットの断面図、図１０は同ウォッシャノズルが外部からの大きな衝撃でナットから外れた状態を示す説明図である。
【００１５】
図１，図２，図１０に示すように、ウォッシャノズル１０は、合成樹脂製で円筒状のノズルハウジング１１を備えている。このノズルハウジング１１はその上端部１１ａに位置する液体噴射口Ｒに球面状凹部１１ｂを形成してあり、この球面状凹部１１ｂに洗浄液Ｓを噴射させる合成樹脂製のノズル体１２を摺動自在に保持してある。さらに、図２，図８に示すように、ノズルハウジング１１の液体噴射口Ｒとノズル体１２の一対の液体用流路１２ａ，１２ａ及び液体供給口１１ｃに嵌め込まれた略円筒状のニップル１５とは液体供給流路１３でそれぞれ連通されている。尚、ノズルハウジング１１に対するノズル体１２の液体用流路１２ａの傾き、即ち、ノズル体１２の液体用流路１２ａから噴射される洗浄液Ｓの噴射方向は調整できるようになっている。
【００１６】
図１〜図４及び図７（ａ）に示すように、ノズルハウジング１１の下端部１１ｄには、複数（この実施形態では４箇所）のＬ字状の係止爪（係止部）１４を等間隔毎にそれぞれ一体突出形成してある。このノズルハウジング１１の下端部１１ｄの各係止爪１４は、図７（ｂ）に示すインナパネル（車体パネル）２０の円形の取付孔２０ａ内に挿入されるようになっている。そして、各係止爪１４の自由端１４ａはインナパネル２０の取付孔２０ａの周りに突き出し形成された各係止凸部２０ｂに係止、離脱自在になっている。即ち、図２に示すように、ノズルハウジング１１の下端部１１ｄはアウタパネル（車体パネル）２１の円形の取付孔２１ａ内を挿通して、インナパネル２０の円形の取付孔２０ａの各係止凸部２０ｂに係止、離脱されるようになっている。尚、アウタパネル２１の取付孔２１ａはインナパネル２０の取付孔２０ａより大径に形成してある。
【００１７】
また、図２〜図５に示すように、ノズルハウジング１１の外周面１１ｅの中途部（中央より下側）には雄ねじ部１１ｆを形成してある。このノズルハウジング１１の雄ねじ部１１ｆのねじ山の歯高（とがり山の高さ）Ｈ′は、図６に示すように、後述するナット１８の雌ねじ部１８ｅのねじ山の歯高（とがり山の高さ）Ｈよりも低く設定してある（Ｈ′＜Ｈ）。さらに、ノズルハウジング１１の雄ねじ部１１ｆには、フラット面（ねじ部を形成しない部分）１１ｇを複数箇所（この実施形態では４箇所）形成してある。これらにより、ノズルハウジング１１の雄ねじ部１１ｆとナット１８の雌ねじ部１８ｅとの噛み合いを容易に外すための脱落機構Ｄが構成されている。
【００１８】
さらに、図１〜図５に示すように、ノズルハウジング１１の外周面１１ｅは、雄ねじ部１１ｆから上端部１１ａに行くに従って外径が小さくなる円錐状に形成してある。また、図３〜図５及び図１０に示すように、ノズルハウジング１１の下端部１１ｄには、ゴム製で円環状のシールパッキン（シール部材）１７の基端１７ａを嵌め込んである。このゴム製で円環状のシールパッキン１７の先端１７ｂは、インナパネル２０に圧接して該インナパネル２０の取付孔２０ａの周りをシールするようになっている。
【００１９】
図２，図９に示すように、ノズルハウジング１１の雄ねじ部１１ｆに螺合される合成樹脂製のナット１８は、インナパネル２０に係止されたノズルハウジング１１をアウタパネル２１を挟んで固定するために該アウタパネル２１の取付孔２１ａの内径より大きい錐状のナット本体１８ａと、この錘状のナット本体１８ａからアウタパネル２１の取付孔２１ａを通って下方に延びる小径の薄肉円筒部１８ｃとを備えている。この錘状のナット本体１８ａのノズルハウジング１１の上側を外に露出させると共に保持する開口上端部１８ｂはノズル本体１８ａが錘状であることから薄肉に形成された脆弱部になっている。そして、開口上端部１８ｂの下は肉盗みによるクリアランス１８ｈが形成されている。また、小径の薄肉円筒部１８ｃの内周面には雌ねじ部１８ｅを形成してある。そして、雌ねじ部１８ｅの下方のインナパネル２０側には雌ねじ部１８ｅの外径よりも内径の大きい内周面１８ｄを形成してある。
【００２０】
さらに、ナット１８のナット本体１８ａには環状の凹部１８ｇを形成してある。この凹部１８ｇには、ゴム製で円錐環状のシールパッキン（シール部材）１９の基端１９ａを嵌め込んである。このゴム製で円錐環状のシールパッキン１９の先端１９ｂは、アウタパネル２１に圧接して該アウタパネル２１の取付孔２１ａの周りをシールするようになっている。
【００２１】
また、図２に示すように、ノズルハウジング１１の液体供給口１１ｃ内には略円筒状のニップル（ホース連結部）１５の鍔状の基端部１５ａを嵌合してある。このニップル１５の先端部１５ｂには洗浄液Ｓを供給するホース１６を連結してある。このホース１６は図示しない供給ポンプの吐出側に接続されていて、該供給ポンプの作動により洗浄液タンクからの洗浄液Ｓをホース１６及びニップル１５を介してノズルハウジング１１の液体供給流路１３に圧送するようになっている。
【００２２】
以上実施形態のウォッシャノズル１０によれば、図２に示すように、ノズルハウジング１１の下端部１１ｄの各係止爪１４によるインナパネル２０の円形の取付孔２０ａの各係止凸部２０ｂの縁部への係止状態は、ナット１８の薄肉円筒部１８ｃの下端１８ｆがインナパネル２０の表面２０ｃに当接するまで、該ノズルハウジング１１の雄ねじ部１１ｆに該ナット１８の雌ねじ部１８ｅを螺合することにより締結固定される。これにより、ノズルハウジング１１及びナット１８のナット本体１８ａはアウタパネル２１の外側に該アウタパネル２１に対して略直角に突出する。
【００２３】
この状態より、万が一に、ノズルハウジング１１の軸方向に外部から予め定められた値を越える大きな衝撃が加わると、図１０に示すように、ナット１８の薄肉円筒部１８ｃの下端１８ｆがインナパネル２０の表面２０ｃに突き当てられていることから、その際の衝撃力Ｆによりノズルハウジング１１の雄ねじ部１１ｆとナット１８の雌ねじ部１８ｅとのねじ部に力が作用し、ナット１８の雌ねじ部１８ｅからノズルハウジング１１の雄ねじ部１１ｆが外れて、ノズルハウジング１１がインナパネル２０の下方に変位する。このとき、ノズルハウジング１１の外周面１１ｅが、インナパネル２０の各係止凸部２０ｂを折り曲げ変形させて下方に変位することになる。即ち、ノズルハウジング１１がインナパネル２０の内側のホース１６の配索空間に入り込み、その衝撃エネルギーを確実に吸収することができる。その結果、ノズルハウジング１１及びナット１８の破損を防止することができる。
【００２４】
このウォッシャノズル１０によれば、ノズルハウジング１１の雄ねじ部１１ｆとナット１８の雌ねじ部１８ｅに脱落機構Ｄを設け、ノズルハウジング１１は、ナット１８の上端に形成されノズルハウジング１１の上側を露出させる開口上端部１８ｂと、ノズルハウジング１１の下端部に設けられ、インナパネル２０の取付孔２０ａに形成された係止凸部２０ｂに係止する係止爪１４と、ナット１８の開口上端部１８ｂとノズルハウジング１１の下端部との間にそれぞれ形成されたノズルハウジング１１の雄ねじ部１１ｆとナット１８の雌ねじ部１８ｅとの螺合とでそれぞれ保持されたことにより、ノズルハウジング１１の軸方向に外部から大きな衝撃が加わった時に、ノズルハウジング１１の雄ねじ部１１ｆとナット１８の雌ねじ部１８ｅとのねじ部の軸方向に力が加わり、ナット１８の雌ねじ部１８ｅが外側に変形した際に、ノズルハウジング１１の雄ねじ部１１ｆとナット１８の雌ねじ部１８ｅの噛み合いが容易に外れてノズルハウジング１１をインナパネル２０の下方側に変位させることができ、その衝撃エネルギーを確実に吸収することができる。
【００２５】
そして、脱落機構Ｄがナット１８の開口上端部１８ｂとインナパネル２０の係止爪１４との間にあるので、ノズルハウジング１１に軸方向に外部から大きな衝撃が加わった時に、ノズルハウジング１１が倒れることなく、脱落機構Ｄであるノズルハウジング１１の雄ねじ部１１ｆとナット１８に雌ねじ部１８ｅとの噛合い部には、真直ぐに荷重が加わることになり、脱落を容易にすることができる。
【００２６】
また、ノズルハウジング１１とナット１８とを合成樹脂で形成したことにより、ノズルハウジング１１に外部から大きな衝撃が加わった時に、ノズルハウジング１１が多少倒れても、脱落機構Ｄであるねじ部には真直ぐに荷重が加わるので、ナット１８の雌ねじ部１８ｅが外側に変形した際に、ノズルハウジング１１の雄ねじ部１１ｆとナット１８の雌ねじ部１８ｅの噛み合いがさらに容易に外れてノズルハウジング１１をインナパネル２０の下方側に変位させることができ、その衝撃エネルギーを確実に吸収することができる。
【図面の簡単な説明】
【００２７】
【図１】本発明の一実施形態のウォッシャノズルの取付状態を示す正面図である。
【図２】上記ウォッシャノズルの取付状態を示す断面図である。
【図３】上記ウォッシャノズルのノズルハウジングの正面図である。
【図４】上記ノズルハウジングの側面図である。
【図５】上記ノズルハウジングの平面図である。
【図６】上記ノズルハウジングの雄ねじ部と該雄ねじ部に螺合されるナットの雌ねじ部のねじ山の関係を示す部分拡大説明図である。
【図７】（ａ）は上記ノズルハウジングの底面図、（ｂ）は同ノズルハウジングの下部が係止される車体パネルの取付孔を示す部分平面図である。
【図８】上記ノズルハウジングの要部の拡大断面図である。
【図９】上記ナットの断面図である。
【図１０】上記ウォッシャノズルが外部からの大きな衝撃でナットから外れた状態を示す説明図である。
【図１１】従来のウォッシャノズルの取付状態を示す断面図である。
【符号の説明】
【００２８】
１０  ウォッシャノズル
１１  ノズルハウジング
１１ｄ  下端部
１１ｆ  雄ねじ部
１２  ノズル体
１３  液体供給流路
１４  係止爪
１８  ナット
１８ｂ  開口上端部
１８ｅ  雌ねじ部
２０  インナパネル
２０ａ  取付孔
２０ｂ  係止凸部
２１  アウタパネル
Ｄ  脱落機構
Ｓ  洗浄液
【図１】
2008080821.tif 000003
【図２】
2008080821.tif 000004
【図３】
2008080821.tif 000005
【図４】
2008080821.tif 000006
【図５】
2008080821.tif 000007
【図６】
2008080821.tif 000008
【図７】
2008080821.tif 000009
【図８】
2008080821.tif 000010
【図９】
2008080821.tif 000011
【図１０】
2008080821.tif 000012
【図１１】
2008080821.tif 000013
【手続補正書】
【提出日】平成18年9月26日(2006.9.26)
【手続補正１】
【補正対象書類名】図面
【補正対象項目名】図２
【補正方法】変更
【補正の内容】
【図２】
2008080821.tif 000014